(57)【要約】【課題】  電波の悪影響を受けず遠隔的に、かつ手間がかからず、簡便かつ迅速に、しかも確実性をもって正確に商品代金の精算を行うことができる経済的な商品精算システムを提供する。【解決手段】  商品に装着されるＲＦＩＤタグ（２）とリーダー／ライター（３）間を電磁誘導方式によって交信すると共に、精算する際に、精算域近傍において商品の外方向周囲に設けた複数のリーダー／ライター（３）によってＲＦＩＤタグ（３）と交信するようにし、これらの複数のリーダー／ライター（３）から得られる商品ＩＤ等の商品情報をコントローラー（１６）で順次比較し、最大の商品ＩＤ数となる商品情報を計算し、これをもとにして精算する。【選択図】        図２
2006113629.tif 000002
【特許請求の範囲】
【請求項１】
商品に装着されその商品を識別するＩＤ等の商品情報を授受するＩＣチップを備えたＲＦＩＤタグと、このＲＦＩＤタグと電磁誘導方式によって電源供給及び商品情報の授受を行うリーダー／ライターを有し、上記商品の代金を精算する際に、その精算域の近傍において商品に装着した上記ＲＦＩＤタグに対し複数の方向から送受信が行い得るよう商品の外方向周囲域に複数のリーダー／ライターを設け、この複数のリーダー／ライターから得られる商品情報を順次比較して最大の商品ＩＤ数とする商品情報を算出するコントローラーを備えこの最大の商品ＩＤ数となる商品情報をもとに算出して代金を精算するようにしたことを特徴とする商品精算システム。
【請求項２】
商品の精算域の近傍にゲートを設け、このゲートの四方にリーダー／ライターを装着した請求項１に記載の商品精算システム。
【請求項３】
コントローラーをレジスター及びＰＯＳ装置に接続した請求項１または２に記載の商品精算システム。
【発明の詳細な説明】
【技術分野】
【０００１】
本発明は、量販店等の店舗において、商品の代金を正確かつ迅速に精算することができる精算システムに関する。
【背景技術】
【０００２】
従来、量販店においては、通常、各商品に価格等の商品情報を入力したバーコードが表示されている。このバーコードは、商品を清算する際にレジ係が読取機によって読み取り、これをもとにして商品代金を集計し、その結果をレジスターに表示して精算するようにしている。
バーコードを読取機によって読み取る際に、バーコードが正確に読み取れない場合読み取りミスが生じ、これによって再度読み取る必要が生じる。
このように、各商品を逐次読取機によって読ませ、また読み取りミスが生じた場合は再度読み取らせる作業が必要となるので、多量の商品を扱う量販店では、その読み取りにかなりの時間を要し、精算待ちの人が列をなすという状態が生じている。
又、レジ係にとっても、各商品をそれぞれ手に取り、その都度バーコードの位置を確認して読取機に読ませているために、かなりの手間と労力を要している。
【０００３】
このようなことから、最近では、バーコードの代わりに商品情報を入力したＩＣチップを用い、このＩＣチップからの商品情報を無線通信によってリーダー／ライターで読み取り、その読み取りデータをもとに集計し精算するという方法が考えられている。
しかし、このような無線方式は、ＩＣチップとリーダー／ライターの間をかなり離した状態で使用するもであるので、例えば顧客が店舗内に持ち込むショッピングカーや傘、乳母車等の金属部分、あるいは店舗内の電波利用機器又はこの機器等から発生するノイズや電波によって影響され易く、これによって誤った情報が伝達され、集計ミスを犯して正確な精算を行うことができなくなっている。
また、量販店では、通常、顧客が購入しようとする商品を順次カゴ（このカゴをカートに載せて運ぶ場合がある）の中に入れて店内を移動しており、その際、これらの商品を無雑作にカゴの中に入れるために、商品に貼着したＩＣチップがカゴ内で常に一定の方向を向いているとは限らず、しかも同種あるいは異種の商品が重なって置かれることもあるので、精算時にアンチコリジョン機能（衝突防止機能）を有するリーダー／ライターを用いて商品情報を読み取る場合でも、読み落すということがあった。
【特許文献１】特開２００３−１３２４２７号公報
【発明の開示】
【発明が解決しようとする課題】
【０００４】
本発明は、上記従来の問題点を解消し、電波の悪影響も受けないで遠隔的に、かつ手間がかからず、簡便かつ迅速に、しかも確実性をもって正確に商品代金の精算を行うことができる経済的な商品精算システムを提供しようとするものである。
【課題を解決するための手段】
【０００５】
本発明は、商品に装着されるＲＦＩＤ（Ｒａｄｉｏ  Ｆｒｅｑｕｅｎｃｙ  Ｉｄｅｎｔｉｆｉｃａｔｉｏｎ）タグとリーダー／ライター間を電磁誘導方式によって交信すると共に、精算する際に、精算域近傍において商品の外方向周囲に設けた複数のリーダー／ライターによってＲＦＩＤタグと交信するようにし、これらの複数のリーダー／ライターから得られる商品ＩＤ等の商品情報をコントローラーで順次比較し、最大の商品ＩＤ数となる商品情報を計算し、これをもとに算出して精算するようにしたものである。
なお、上記ＲＦＩＤタグの電源は、リーダー／ライターとの交信時に電磁誘導によって供給している。
【０００６】
また、上記精算域近傍にゲートを設け、このゲートの四方にリーダー／ライターを装着し、この複数のリーダー／ライターによって商品に設けたＲＦＩＤタグと交信するようにしたものである。
【０００７】
更に、コントローラーをレジスター及びＰＯＳ（Ｐｏｉｎｔ  Ｏｆ  Ｓａｌｅｓ）装置に接続し商品を精算、管理するようにしたものである。
【発明の効果】
【０００８】
本発明によれば、商品の精算を迅速に行うことができ、従来のようなレジ待ちが解消され、又精算もれや二重精算がなく遠隔的に正確さをもって確実に精算することができ、しかもレジ係の労力、手間を軽減し経済的に得ることができる。
また、ＲＦＩＤタグとリーダー／ライター間を電磁誘導方式によって交信し、ＲＦＩＤタグを作動する電池を不要とすると共に、電波交信による悪影響をなくし、指向性があって交信範囲が広く、かつその浸透性により人体、ガラス、紙、プラスチック、木材等にも妨げられず良好な交信を得ることができる。
【発明を実施するための最良の形態】
【０００９】
本装置は、スーパーマーケット、デパート、大型店舗等の量販店で好適に用いることができるものである。
店舗内の商品棚に陳列されている各商品（１）には、その商品を識別するＩＤ（商品番号等）等の商品情報が入力されたチップやシート状のＲＦＩＤタグ（２）が適宜の位置にシール状に貼着したり、埋設したりして装着される。
【００１０】
上記ＲＦＩＤタグと交信して商品情報等を入出力するリーダー／ライター（Ｒ／Ｗ）（３）は、アンチコリジョン（４）を有し、複数のＲＦＩＤタグが共に存在している場合でも、ほぼ同時的に個々のＲＦＩＤタグと交信することができるものである。
【００１１】
上記ＲＦＩＤタグ（２）とリーダー／ライター（３）との交信状態を図３を用いて説明する。
上記ＲＦＩＤタグ（２）とリーダー／ライター（３）の交信は、本装置では電磁誘導方式を用いて行なっている。
上記ＲＦＩＤタグ（２）はループコイル（５）、復調部（６）、変調部（７）、整流部（８）、ＩＣチップとする主制御部（９）、メモリ（１０）を備えている。
他方、リーダー／ライター（３）は、ループコイル（１１）、発振部（１２）、変調部（１３）、復調部（１４）、アンチコリジョン（４）を備えている。
【００１２】
なお、実施例では、リーダー／ライター（３）内に含まれる各部材を制御する主制御部（１５）が後記のコントローラー（１６）に設けられているが、この主制御部（１５）は、リーダー／ライター（３）内に設けるようにしてもよい。また、上記アンチコリジョン（４）は、この場合リーダー／ライター（３）内に設けられているが、コントローラー（１６）内に設けるようにしてもよい。
【００１３】
コントローラー（１６）の主制御部（１５）から発する指令信号により、リーダー／ライター（３）の発振部（１２）から発振する信号と、制御部（１５）からの信号が変調部（１３）で変調され、この変調信号がリーダー／ライター（３）のループコイル（１１）より発信される。
この発信された信号は、電磁誘導作用によりＲＦＩＤタグ（２）のループコイル（５）で受信され、この受信した信号が復調部（６）で復調し主制御部（９）へ送られる。
【００１４】
主制御部（９）の制御により、上記ＲＦＩＤタグ（２）に商品を識別するＩＤ等の商品情報を予め格納したメモリ（１０）から商品情報を読み出し、この商品情報を変調部（７）で変調して上記ループコイル（５）より送信する。
この送信された情報信号はリーダー／ライター（３）のループコイル（１１）で受信され、この情報信号が復調部（１４）で復調してコントローラー（１６）へ送られる。
【００１５】
なお、上記ＲＦＩＤタグ（２）の電源は、上記リーダー／ライター（３）から送信された信号により電磁誘導によってＲＦＩＤタグ（２）のループコイル（５）に起電力を誘起し、この起電力を整流部（８）で整流して用いている。これによって、電源は別途設ける必要がない。
【００１６】
上記電磁誘導方式では、１３．５６ＭＨｚの波長のものを用いているが、その他の波長のものでもよく、また、情報伝達は０，１のデジタル型式で伝達し、その変調方式をＡＳＫ変調方式（Ａｍｐｌｉｔｕｄｅ  Ｓｈｉｆｔ  Ｋｅｙｉｎｇ）としているが、この変調方式はその他の方式を用いるようにしてもよい。
【００１７】
なお、上記ＲＦＩＤタグ（２）には、電源供給を安定化するためにコンデンサー（１７）が用いられている。
【００１８】
次に、顧客（１８）が店内で複数の商品（１）を選択し購入した後、これをレジで精算する場合について説明する。
顧客は、購入した商品をカゴ（通常、店舗の出入口に配置されている）（１９）に入れ、このカゴを手に持ったり、カゴを店舗内に配置したカート（２０）に入れたりして店内を移動し、購入終了後に清算するためレジへ向う。
レジのカウンター（２１）が配置された精算域の近傍には、図１に示すようなゲート（２２）が設けられており、顧客はこのゲートをくぐるようにする。
【００１９】
ゲート（２２）には、図２に示すように、枠の四方にリーダー／ライター（３）が装着されている（図示の場合はＮｏ．１〜Ｎｏ．４の４個のリーダー／ライターが設けられている）と共に、この各リーダー／ライター（３）が接続するコントローラー（１６）が装着されている。
【００２０】
上記リーダー／ライター（３）は、図示のものでは、電磁誘導作用の有効範囲が１ｍ〜２ｍのものを用いているが、上記ＲＦＩＤタグ（２）と交信可能な範囲であればその他の種類のものを用いることができる。又ＲＦＩＤタグ（２）の配置については、ゲート（２２）の左右枠の上下に複数設けたり、あるいは上下の一方の方向にのみ設けたり等と適宜の位置に種々の個数のものを用いることができる。
【００２１】
なお、実施例では、リーダー／ライター（３）がゲート（２２）に設けられているが、このゲートはトンネル形式や戸口形式としたり、又リーダー／ライター（３）をレジのカウンター（２１）側面、その床面及び天井から吊下した支持具面に設けるようにしてもよい。
【００２２】
商品（１）を収容したカゴ（１９）がゲート（２２）を通過する際は、各商品に装着されたＲＦＩＤタグ（２）とゲートの四方に設けた上記Ｎｏ．１〜Ｎｏ．４のリーダー／ライター（３）の間で交信され、各リーダー／ライター（３）によってカゴ内の各商品のＲＦＩＤタグより商品情報が受信される。
【００２３】
この各リーダー／ライター（３）にはアンチコリジョン（４）が設けられているので、カゴ内に各商品が雑然と収納されていても、ある程度は商品情報を読み出すことができるが、特に商品が複数重なっていたり読み取り難い方向に商品が存在していたりした場合等には、読み落すことがある。
【００２４】
そこで、本装置では、このような場合、以下に示すように上記コントローラー（１６）によって商品情報を読み落さないようにしている。
例えば、図５に示すように、リーダー／ライターＮｏ．１（２３）で読み込んだ商品を識別するＩＤ、即ちＡ（Ａ−１、Ａ−２）、Ｂ、Ｃ〜Ｒ、Ｓ、Ｔと、リーダー／ライターＮｏ．２（２４）で読み込んだＩＤ、即ちＡ（Ａ−１）、Ｂ、Ｃ〜Ｓ、Ｔ、Ｕをコントローラー（１６）内のＩＤの比較計算部Ａ（２５）で比較しその最大数であるＩＤ（リーダー／ライターＮｏ．１で読み込んだＩＤと、リーダー／ライターＮｏ．２で読み込んだＩＤを引算して共通しないＩＤを算出し、この共通しないＩＤに共通するＩＤを加算して最大数のＩＤを得る。以下同様にして算出する。）、即ちＡ（Ａ−１、Ａ−２）、Ｂ、Ｃ〜Ｒ、Ｓ、Ｔ、Ｕを計算する。
【００２５】
他方、リーダー／ライターＮｏ．３（２６）で読み込んだＩＤ、即ちＡ（Ａ−１）、Ｂ、Ｃ〜Ｖ、Ｘ、Ｙと、リーダー／ライターＮｏ．４（２７）で読み込んだＩＤ、即ちＡ（Ａ−１）、Ｂ、Ｃ〜Ｚ、Ｐ、ＱをＩＤの比較計算部Ｂ（２８）で比較しその最大数であるＩＤ、即ちＡ（Ａ−１）、Ｂ、Ｃ〜Ｐ、Ｑ、Ｖ、Ｘ、Ｙ、Ｚを計算する。
【００２６】
次に、上記ＩＤの比較計算部Ａ（２５）とＩＤの比較計算部Ｂ（２８）で計算された最大数のＩＤをＩＤの比較計算部Ｃ（２９）で比較し、その最大数であるＩＤ、即ちＡ（Ａ−１、Ａ−２）、Ｂ、Ｃ〜Ｐ、Ｑ、Ｒ、Ｓ、Ｔ、Ｕ、Ｖ、Ｘ、Ｙ、Ｚを計算する。ここで、上記ＩＤを示すＡ−１及びＡ−２は同種の商品を示し、又Ａ、Ｂ、Ｃ〜Ｘ、Ｙ、Ｚは異種の商品を示す。
【００２７】
なお、これらのＩＤの比較・計算は、適当なＰＣ（パーソナルコンピューター）ソフトを用いて、ＣＰＵ（Ｃｅｎｔｒａｌ  Ｐｒｏｃｅｓｓｉｎｇ  Ｕｎｉｔ）、ＲＡＭ（Ｒａｎｄａｍ  Ａｃｃｅｓｓ  Ｍｅｍｏｒｙ）、ＲＯＭ（Ｒｅａｄ  Ｏｎｌｙ  Ｍｅｍｏｒｙ）を含むＰＣ機能を有するコントローラー（１６）の主制御部（１５）で行われ、その情報がメモリ（３０）で一時的に、あるいは一定期間記憶される。
【００２８】
上記ＩＤの比較計算部Ｃで比較・計算されたＩＤ情報は、図４に示すように、ＰＯＳ装置（３１）内の情報受信部（３２）で受信され、商品情報部（３３）を介して精算情報部（３４）へ送信され、その各ＩＤと単価テーブル（３５）より入手した単価データをもとに精算部（３６）で演算され集計される。なお、これらの集計は上記コントローラー（１６）で行うようにしてもよい。
その集計データは、レジスター（３７）に表示され、ここでレジ係（３８）によって精算される。
【００２９】
このレジスター（３７）のそばには、カードリーダー（図示せず）等を置くことができ、これによってカードで精算する場合、あるいはポイントカードを処理する場合等に用いることができる。
【００３０】
本装置では、上記コントローラー（１６）によって、リーダー／ライター（３）で読み出した商品ＩＤと共に商品名、仕入先、仕入日、重さ、大きさ、品質、データ入力日等の商品情報をＰＯＳ装置（３１）の商品情報部（３３）に送信し、商品管理（在庫管理を含む）を行うようにしている。
【００３１】
また、上記ＰＯＳ装置（３１）では、集計したデータを売上テーブル（３９）で記録するようにしている。
この売上データ等は、適宜通信網を介して、例えばチエーン店等では本部へ送信することができ、これに基づいて本部と交信できるように構築することができる。
【図面の簡単な説明】
【００３２】
【図１】商品精算時の状況を示す概略平面図である。
【図２】ゲート部で商品に装着したＲＦＩＤタグとリーダー／ライター間で交信する状態を示す斜面図である。
【図３】ＲＦＩＤタグとリーダー／ライターの交信状況を示す概略図である。
【図４】リーダー／ライターをコントローラーを介してＰＯＳ装置及びレジスターに接続した状態を示す概略図である。
【図５】リーダー／ライターで読み込んだＩＤ情報を比較し計算して商品のＩＤ最大数を得る状況を示す概略図である。
【符号の説明】
【００３３】
１  商品      ２  ＲＦＩＤタグ      ３  リーダー／ライター    
４  アンチコリジョン      １６  コントローラー      ２２  ゲート  
３３  ＰＯＳ装置      ３９  レジスター
【図１】
2006113629.tif 000003
【図２】
2006113629.tif 000004
【図３】
2006113629.tif 000005
【図４】
2006113629.tif 000006
【図５】
2006113629.tif 000007